(57)【要約】【課題】除塵スクリーン上に除去された塵芥の除去に、人手又は機械的除去装置を必要とせず、水流によって自動的に除去される放流管渠の除塵装置を提供する。【解決手段】下水道管渠の途中に設けた雨水吐室１を設け、この雨水吐室１内の放流管渠４の流入口前に越流堰５を設け、この越流堰５と、放流管渠４を接続した前記雨水吐室１の側壁１ａの間に樋状の桟６ａを用いた除塵スクリーン６を斜めに設け、且つその除塵スクリーン６の上縁に受け樋７を設けると共に、除塵スクリーン６の下流側に前記受け樋７に繋がる除塵シュート８を設ける。【選択図】図１
2006328696.tif 000002
【特許請求の範囲】
【請求項１】
下水道管渠の途中に雨水吐室を設け、この雨水吐室内の放流管渠の流入口前に越流堰を設け、この越流堰と、放流管渠を接続した前記雨水吐室の壁の間に樋状の桟を用いた除塵スクリーンを斜めに設け、且つその除塵スクリーンの上縁に受け樋を設けると共に、除塵スクリーンの下流側に前記受け樋に繋がる除塵シュートを設けたことを特徴とする放流管渠の除塵装置。
【請求項２】
除塵スクリーンの下縁を越流堰又は雨水吐室の両側壁に枢着し、除塵スクリーンの上縁は、取付位置調整装置を介し又は介せずに雨水吐室の側壁に固定したことを特徴とする請求項１記載の放流管渠の除塵装置。
【請求項３】
越流堰及び除塵スクリーンを流れ方向に長く形成し、放流管渠を下流側に取付けたことを特徴とする請求項１または請求項２記載の放流管渠の除塵装置。
【発明の詳細な説明】
【技術分野】
【０００１】
本発明は、除塵スクリーン上に分離された塵芥の除去が、手作業や機械的機構によることなく行われる放流管渠の除塵装置に関するものである。
【背景技術】
【０００２】
従来、下水道において、入口に除塵スクリーンを配置した放流管渠を設けて、増水時に増水分を放流管渠に分流して、越流雨水を直接、公共水域に放流しているが、タバコの吸口や落葉等の細小浮遊物が公共水域を汚染する虞があり、狭隘な下水管路内での除塵が困難であった。
【０００３】
しかし、除塵スクリーンに付着した塵芥の手作業による除去は面倒であり、また、機械的除去装置を付設した場合は、除塵装置が高価になるばかりでなく、その管理・維持に人手を要するという問題があった。
【特許文献１】特開２００２−３１７４２８号公報
【発明の開示】
【発明が解決しようとする課題】
【０００４】
そこで本発明は、除塵スクリーン上に除去された塵芥の除去に、人手又は機械的除去装置を必要とせず、水流によって自動的に除去される放流管渠の除塵装置を提供することを課題とするものである。
【課題を解決するための手段】
【０００５】
本発明は上記の課題を解決するためになされたもので、第１の発明は下水道管渠の途中に雨水吐室を設け、この雨水吐室内の放流管渠の流入口前に越流堰を設け、この越流堰と、放流管渠を接続した前記雨水吐室の壁の間に樋状の桟を用いた除塵スクリーンを斜めに設け、且つその除塵スクリーンの上縁に受け樋を設けると共に、除塵スクリーンの下流側に前記受け樋に繋がる除塵シュートを設けたことを特徴とする放流管渠の除塵装置である。
【０００６】
なお、除塵スクリーンに設ける樋状の桟は上端が下流側に位置するように、斜めに設けるようにした方が好ましい。また、除塵スクリーンの上縁に設ける受け樋は水勾配を付すことが好ましい。
【０００７】
第２の発明は、第１の発明において、除塵スクリーンの下縁を越流堰又は雨水吐室の両側壁に枢着し、除塵スクリーンの上縁は、取付位置調整装置を介し又は介せずに雨水吐室の側壁に固定したことを特徴とする放流管渠の除塵装置である。
【０００８】
第３の発明は、第１又は第２の発明において、越流堰及び除塵スクリーンを流れ方向に長く形成し、放流管渠を下流側に取付けたことを特徴とする放流管渠の除塵装置である。
【発明の効果】
【０００９】
第１の発明による除塵装置は、増水時において、雨水吐室に流入した下水は、越流堰を越えた雨水による増流分が、除塵スクリーンを通して放流管渠に排水される。
【００１０】
そして除塵スクリーンによって放流管渠への流入を阻止されたタバコの吸口や落葉等の塵芥の一部は、雨水吐室に流入する水流によって下流へ押し流され、また増流分の雨水の一部は塵芥の一部と共に、除塵スクリーンの樋状の桟に案内されて上昇し、受け樋に集まり、受け樋を流れて下流側に設けた除塵シュートを経て、再び本管路と合流する。
【００１１】
除塵スクリーンに引っ掛った塵芥は、樋状の桟を上昇する水流によって押し上げられて、除塵スクリーンから除去され、更に受け樋を経て、除塵シュートを流れる水流によって、本管路へ流入して下流へ自動的に流れ去る。そして減流した時は、除塵スクリーンの塵芥は自然に本管路内へ落下して下流施設に送られる。つまり、本発明によれば、除塵スクリーンによって除去された塵芥は、人手又は機械的除去装置を煩わすことなく自動的に除去される効果がある。
【００１２】
除塵スクリーンの設置角度は現場の状況に応じて決定されるものであるが、第２の発明のような構成にしておけば、設置角度を微調整することができるので設備の施工を容易にする実益がある。
【００１３】
第３の発明は、除塵効果が向上すると共に、受け樋上に集まった塵芥を流すための水流を強化させる効果がある。
【実施例】
【００１４】
図面は本発明の実施例を示すもので、図１は横断平面図、図２はＡ−Ａ線断面図、図３はＢ−Ｂ線断面図である。
【００１５】
図２において、１は、下水道管渠の途中に設けた雨水吐室で、入口側に流入管渠２を、また下流側には、管渠の小さい流出管渠３が接続され、更に雨水吐室１の下流側に放流管渠４が接続されている。
【００１６】
そして、雨水吐室１内の前記放流管渠４の流入口前に越流堰５が設けられ、この越流堰５と、放流管渠４を接続した、前記雨水吐室１の側壁１ａ間に断面がＶ又はＵ状の樋状の桟６ａを用いた除塵スクリーン６が斜めに設けられている。
【００１７】
実施例の場合、除塵スクリーン６の下縁６ｂを越流堰５上に設け、その両端を雨水吐室１の側壁１ｂ，１ｂに枢着し、上縁に水勾配を設けた受け樋７を設けると共に、その両端を雨水吐室１の側壁１ｂ，１ｂに固定し、且つ除塵スクリーン６の下流側に受け樋７と繋がる除塵シュート８が取付けられている。
【００１８】
なお、この実施例では除塵シュート８は図３に示すように、除塵スクリーン６の取付角度より小さい角度に設けられている。
【００１９】
以上のように構成されているので、流入管渠２より雨水吐室１に流入した下水は、増水時に越流堰５を越流した増水分が除塵スクリーン６を経て、放流管渠４に流入する。
【００２０】
この時、タバコの吸口や落葉等の塵芥は、除塵スクリーン６によって除去され、除塵スクリーン６上の塵芥は樋状の桟６ａを上昇する水流と後続の塵芥により上方に押し上げられ、受け樋７に集まり、受け樋７及び除塵シュート８を経て、汚水流出管渠３へ放流される。
【００２１】
すなわち、除塵スクリーン６によって除去された塵芥は、樋上の桟６ａを上昇する水流と後続の塵芥と共に押し上げられ、受け樋７及び除塵シュート８を経て、流出管渠３へ放流されることになる。
【００２２】
除塵スクリーン６の取付け傾斜角度は、現場の状況によって決定されるのものであるが、図示しなかったが、除塵スクリーン６の上縁位置と設定するための取付位置調整装置を設けると便利である。
【００２３】
なお、図示しなかったが、受け樋７の水勢を強化するため、除塵スクリーン６の樋状の桟６ａは、上端が下流側に位置するように、斜めに設けるようにした方が好ましい。
【図面の簡単な説明】
【００２４】
【図１】本発明の実施例の横断平面図
【図２】図１のＡ−Ａ線断面図
【図３】図１のＢ−Ｂ線断面図
【符号の説明】
【００２５】
１    雨水吐室
２    流入管渠
３    流出管渠
４    放流管渠
５    越流堰
６    除塵スクリーン
７    受け樋
８    除塵シュート
【図１】
2006328696.tif 000003
【図２】
2006328696.tif 000004
【図３】
2006328696.tif 000005